(57)【要約】    【課題】  床下空間を十分に取ることができない場合であっても、騒音の発生を抑制することができる消音装置を提供することである。    【解決手段】  グラスウールで形成された吹出しダクト（１２）を備え、吹出しダクトの上部に、ダウンブロー空調機（１０）が配置され、ダウンブロー空調機の送風機（１０ａ）が、吹出しダクトの上面に設けられた開口（１２ａ１）を介して、吹出しダクトの内部に連通しており、吹出しダクト内の開口の直下に配置され、送風機から垂直方向下方に向かって送出される送風を水平方向に変向させるための整流板（１４）と、床下空間の吹出し部分の上面及び下面に貼付された吸音材（１８）とを更に備えていることを特徴とする消音装置。【選択図】  図１
2007093115.tif 000002
【特許請求の範囲】
【請求項１】
ダウンブロー空調機の消音装置であって、
グラスウールで形成された吹出しダクトを備え、前記吹出しダクトの上部に、ダウンブロー空調機が配置され、前記ダウンブロー空調機の送風機が、前記吹出しダクトの上面に設けられた開口を介して、前記吹出しダクトの内部に連通しており、
前記吹出しダクト内の前記開口の直下に配置され、前記送風機から垂直方向下方に向かって送出される送風を水平方向に変向させるための整流板と、
床下空間の吹出し部分の上面及び下面に貼付された吸音材とを更に備えていることを特徴とする装置。
【請求項２】
前記吹出しダクトが、前記ダウンブロー空調機の直下に位置する第１部分と、前記第１部分よりも高さが低くなるように形成された第２部分と、前記第１部分と前記第２部分との間に位置し、前記第１部分から前記第２部分に向かって高さが徐々に低くなるように形成された遷移部分とを有することを特徴とする請求項１に記載の装置。
【請求項３】
前記吹出しダクトの前記第２部分内に配置され、グラスウールで形成された複数の筒形の消音筒を更に備えていることを特徴とする請求項１又は２に記載の装置。
【発明の詳細な説明】
【技術分野】
【０００１】
本発明は、ダウンブロー空調機、即ち床吹出し式空調機の消音装置に関する。
【背景技術】
【０００２】
ダウンブロー空調機、即ち床吹出し式空調機を設置する場合、十分な消音効果を得るために、床下空間の高さを高くしたり、ダクトを拡大したりする等の措置が採られている。
【発明の開示】
【発明が解決しようとする課題】
【０００３】
しかしながら、床下空間を十分に取ることができなかったり、ダクトを拡大することができない場合には、空調機の作動時に騒音が発生するという課題がある。
【０００４】
本発明は、このような状況に鑑みて案出されたものであって、床下空間を十分に取ることができない場合であっても、騒音の発生を抑制することができるダウンブロー空調機の消音装置を提供することを目的とする。
【課題を解決するための手段】
【０００５】
本願請求項１に記載のダウンブロー空調機の消音装置は、グラスウールで形成された吹出しダクトを備え、前記吹出しダクトの上部に、ダウンブロー空調機が配置され、前記ダウンブロー空調機の送風機が、前記吹出しダクトの上面に設けられた開口を介して、前記吹出しダクトの内部に連通しており、前記吹出しダクト内の前記開口の直下に配置され、前記送風機から垂直方向下方に向かって送出される送風を水平方向に変向させるための整流板と、床下空間の吹出し部分の上面及び下面に貼付された吸音材とを更に備えていることを特徴とするものである。
【０００６】
本願請求項２に記載のダウンブロー空調機の消音装置は、前記請求項１の装置において、前記吹出しダクトが、前記ダウンブロー空調機の直下に位置する第１部分と、前記第１部分よりも高さが低くなるように形成された第２部分と、前記第１部分と前記第２部分との間に位置し、前記第１部分から前記第２部分に向かって高さが徐々に低くなるように形成された遷移部分とを有することを特徴とするものである。
【０００７】
本願請求項３に記載のダウンブロー空調機の消音装置は、前記請求項１又は２の装置において、前記吹出しダクトの前記第２部分内に配置され、グラスウールで形成された複数の筒形の消音筒を更に備えていることを特徴とするものである。
【発明の効果】
【０００８】
本発明の消音装置によれば、床下空間を十分に取ることができない場合であっても、空調機の作動時の騒音の発生を抑制することが可能になる。また、本発明の消音装置は、簡単な構造であるため、安価かつ容易に騒音の発生を抑制することができる。
【発明を実施するための最良の形態】
【０００９】
次に、図面を参照して、本発明の好ましい実施の形態に係るダウンブロー空調機の消音装置について詳細に説明する。図１は、本発明の好ましい実施の形態に係るダウンブロー空調機の消音装置を模式的に示した断面図である。図１において、参照符号１０は、本発明の消音装置が装着されるダウンブロー空調機を示している。空調機１０は、空調しようとする室内と壁によって隔てられた機械室内に配置されており、内部には、送風機１０ａ及び熱交換コイル１０ｂが配置されている。
【００１０】
本発明の消音装置は、グラスウールで形成された吹出しダクト１２を備えている。吹出しダクト１２の上部には、ダウンブロー空調機１０が配置されており、ダウンブロー空調機１０の送風機１０ａが、吹出しダクト１２の上面に設けられた開口１２ａ１を介して、吹出しダクト１２の内部に連通している。
【００１１】
本発明の消音装置は又、吹出しダクト１２内の開口１２ａ１の直下に配置され、送風機１０ａからほぼ垂直方向下方に向かって送出される送風をほぼ水平方向に変向させるための整流板１４を備えている。図２は、整流板１４を示した斜視図である。整流板１４は、図示されるように、側面視で二等辺三角形の形状を有しており、斜辺部で送風を変向させるようになっている。整流板１４は、合成樹脂材料、金属材料、木質材料などの任意の材料で形成されている。整流板１４を設置することにより、乱流の発生を回避して騒音を抑制することができる。
【００１２】
吹出しダクト１２は好ましくは、ダウンブロー空調機１０が載せられている第１部分１２ａと、第１部分よりも高さが低くなるように形成された第２部分１２ｂと、第１部分１２ａと第２部分１２ｂとの間に位置し、第１部分１２ａから第２部分１２ｂに向かって高さが徐々に低くなるように形成された遷移部分１２ｃとを有している。遷移部分１２ａを設けて、送風機１２ａから円滑に送風されるようにすることにより、騒音の発生を軽減している。
【００１３】
好ましくは、本発明の消音装置は又、吹出しダクト１２の第２部分１２ｂ内に配置され、グラスウールで形成された複数の円筒形の消音筒１６を備えている。消音筒１６の床側の端部には、消音筒１６がずれるのを防止するための金網１６ａが配置されている。
【００１４】
本発明の消音装置は更に、床下空間の吹出し部分の上面及び下面に貼付された吸音材１８を備えている。吸音材１８は、グラスウールで形成されている。
【００１５】
消音筒１６及び吸音板１８を設置することにより、騒音を吸収することができる。
【００１６】
図４は、本発明の消音装置の効果を実証するために行われた実験の結果を示したグラフである。図４において、曲線Ａが、空調機に吹出しダクト１２及び整流板１４を設置した状態における音圧レベルを示したものであり、曲線Ｂが、空調機に吹出しダクト１２、整流板１４、消音筒１６、及び吸音材１８を設置した状態における音圧レベルを示したものである。曲線Ｂは、音圧レベルが全体で約４０ｄＢ、ＮＣ値が２５以上を満足しており、曲線Ａでも、音圧レベルが全体で約４３．５ｄＢ、ＮＣ値が３２程度であるので、効果が認められる。なお、曲線Ａと曲線Ｂの差は、特に周波数が２５０Ｈｚ〜１０００Ｈｚにおいて著しく、曲線Ｂは、５００Ｈｚでは曲線Ａの７５％程度まで音圧レベルが低下しているのが分かる。
【００１７】
本発明は、以上の発明の実施の形態に限定されることなく、特許請求の範囲に記載された発明の範囲内で、種々の変更が可能であり、それらも本発明の範囲内に包含されるものであることはいうまでもない。
【００１８】
例えば、前記実施の形態において整流板１４は側面視で二等辺三角形で示されているが、不等辺三角形にしたり斜辺を湾曲形状に形成してもよい。また、消音筒１６の形状、設置基数も図示されているものに限定されるものではない。
【図面の簡単な説明】
【００１９】
【図１】本発明の好ましい実施の形態に係るダウンブロー空調機の消音装置を模式的に示した断面図である。
【図２】整流板を示した斜視図である。
【図３】吹出しダクト及び消音筒を示した斜視図である。
【図４】本発明の消音装置の効果を実証するために行われた実験の結果を示したグラフである。
【符号の説明】
【００２０】
１０  空調機
１０ａ  送風機
１０ｂ  熱交換コイル
１２  吹出しダクト
１４  整流板
１６  消音筒
１８  吸音材
【図１】
2007093115.tif 000003
【図２】
2007093115.tif 000004
【図３】
2007093115.tif 000005
【図４】
2007093115.tif 000006